(57)【特許請求の範囲】
【請求項１】
ロール状の印字用紙にプリントして排出するプリンタにおいて、上方開口部を有する枠体と、前記枠体の前面に開閉可能に取り付けられたフロントパネルと、前記フロントパネルの背面に取り付けられ前記印字用紙にプリントするためのプリントユニットと、前記フロントパネルの背面に取り付けられプリントされた印字用紙を切断するための用紙切断ユニットと、前記枠体の内部に前後方向に移動可能に取り付けられると共に前記フロントパネルとリンクで結合され、前記印字用紙を上方から装填するように用紙ホルダ底板と用紙ホルダ側板とから構成された上方が開口したカップ状に形成され、前記フロントパネルを開く動作に連動して前記枠体の前面側に前記印字用紙を上方から装填する方向の姿勢を保ったまま移動する前記印字用紙を保持するための用紙ホルダユニットと、を備えていることを特徴とするプリンタ。
【請求項２】
前記フロントパネルを完全に開くことにより前記印字用紙を前記用紙ホルダユニットに装填するように構成されていることを特徴とする請求項１に記載のプリンタ。
【請求項３】
前記フロントパネルには前記プリントされた印字用紙を排出するための用紙排出口が設けられ、前記フロントパネルを開いて前記印字用紙の用紙端部を上方から前記プリントユニットに挿入するとこにより、該用紙端部が前記用紙切断ユニットを通して前記用紙排出口に出るように構成されていることを特徴とする請求項２に記載のプリンタ。
【請求項４】
前記用紙ホルダユニットには、複数の軸径の異なる用紙支持軸が取り付け可能であることを特徴とする請求項１乃至３に記載のプリンタ。
【請求項５】
前記用紙ホルダの側板に用紙支持軸ロック爪を形成し、該用紙支持軸ロック爪を変形させることにより用紙支持軸を着脱可能としたことを特徴とする請求項４に記載のプリンタ。
【請求項６】
ロール状の印字用紙にプリントして排出するプリンタにおいて、上方開口部を有する枠体と、前記枠体の前面に開閉可能に取り付けられ前記プリントされた印字用紙を排出するための用紙排出口を有するフロントパネルと、前記フロントパネルの背面に取り付けられ前記印字用紙にプリントするためのプリントユニットと、前記フロントパネルの背面に取り付けられ前記プリントされた印字用紙を切断するための用紙切断ユニットと、前記枠体の内部に前後方向に移動可能に取り付けられると共に前記フロントパネルとリンクで結合され、前記印字用紙を上方から装填するように用紙ホルダ底板と用紙ホルダ側板とから構成された上方が開口したカップ状に形成され、前記フロントパネルを開く動作に連動して前記枠体の前面側に前記印字用紙を上方から装填する方向の姿勢を保ったまま移動する前記印字用紙を保持するための用紙ホルダユニットと、前記プリントユニットおよび前記用紙切断ユニットを制御するための制御回路ユニットとから構成され、前記フロントパネルを途中まで開くことにより前記制御回路ユニットの調整用素子が前記上方開口部から操作可能となるように構成されていることを特徴とするプリンタ。
【請求項７】
前記調整用素子はＤＩＰスイッチであることを特徴とする請求項６に記載のプリンタ。
【請求項８】
前記枠体にベース板が固着され、該ベース板にスライド板が該ベース板に対して前後方向に移動可能に取り付けられ、さらに、前記スライド板に前記用紙ホルダユニットが前記スライド板に対して前後方向に移動可能に取り付けられ、前記ベース板には前記調整用素子に対向してベース板開口部が形成され、前記スライド板には、前記スライド板が前記ベース板に対して移動して所定の位置にくると、前記ベース板の前記ベース板開口部と対向するスライド板開口部が形成され、前記用紙ホルダユニットの底板には、前記用紙ホルダユニットが前記スライド板上を移動して所定の位置にくると前記調整用素子に対向することとなる用紙ホルダ底板開口部が形成されており、前記フロントパネルを途中まで開くことにより、前記ベース板開口部と、前記スライド板開口部と、前記用紙ホルダ底板開口部とが一致した位置に移動することになって、前記調整用素子を操作可能とするように構成されていることを特徴とする請求項６に記載のプリンタ。
【発明の詳細な説明】
【技術分野】
【０００１】
本発明は、印字用紙の装填および交換が容易なプリンタの構成に関する。
【背景技術】
【０００２】
従来から、宅内および宅外に設置される各種自動販売装置等に組み込まれて、記録紙、レシート、およびチケット等の発行を行うプリンタがある。
【０００３】
図１５、および図１６を用いて特許文献１に開示されている従来例について説明する。図１５は、従来におけるプリンタの定常状態を示す斜視図である。図１６は、図１５に示すプリンタの印字用紙を交換する時の状態を示す斜視図である。図１５、および図１６に示すように、印字用紙１５０を交換する場合には、図１５に示す本体ブラケット１４４の前面を構成しているユニット取付け部１４４ｂの上端部を手前に引いて、本体ブラケット１４４を回動軸１４８を中心として回動させて図１８の状態に移動させる。このようにして、本体ブラケット１４４の底面を構成しているロール紙取付け部１４４ａに取り付けられているロール紙１５０の保持部材１５１、１５１が上部手前に位置し、かつロール紙１５０の挿入口１５２が下部手前に位置した状態において、使い終わったロール紙１５０を保持部材１５１、１５１から外し、新しいロール紙１５０を取り付け、ロール紙１５０の先端部分を引き出して挿入口１５２に挿入し印字制御ユニット１４５を通して排出口１５３から出す。続いて、本体ブラケット１４４を元の方向に回動させて元の位置に戻す。次いで、送り機構を操作して排出口１５３からロール紙１５０の先端部を適宜の長さ出すことにより印字可能状態とする。
【特許文献１】特開２００２−１５４７１９号公報
【発明の開示】
【発明が解決しようとする課題】
【０００４】
上述したように、従来のプリンタでは、図１５のような状態ではロール紙１５０の交換は非常に困難であるが、図１６のように本体ブラケット１４４を回動軸１４８を中心として手前に回動させることにより、保持部材１５１、１５１が上部手前に位置し、かつロール紙１５０の挿入口１５２が下部手前に位置することになるので、ロール紙１５０の交換は容易になっている。然るに、印字制御ユニット１４５がユニット取付け部１４４ｂの前面に取り付けられているので、外傷を受けるとか塵埃にさらされる等、外部からの悪影響を受けやすい。また、保持部材１５１、１５１の下側に受け部材がないので、ロール紙１５０を保持部材１５１、１５１に装着する際に、うまく装着できなかった場合に下に落ちてしまい再度の装着がしにくい。更に、ロール紙１５０の先端部分を印字制御ユニット１４５に通す際に、先端部分を挿入口１５２から挿入するように構成されているので、印字制御ユニット１４５に装着しにくいという不具合があった。
【０００５】
本発明の目的は、印字用紙の装填および交換を容易に行うことができると共に、前記制御回路ユニットが外傷を受けるとか塵埃にさらされる等の外部からの悪影響を受けることのないプリンタを得ようとするものである。
【課題を解決するための手段】
【０００６】
上記目的を達成するために、本発明においては、ロール状の印字用紙にプリントして排出するプリンタにおいて、上方開口部を有する枠体と、前記枠体の前面に開閉可能に取り付けられたフロントパネルと、前記フロントパネルの背面に取り付けられ前記印字用紙にプリントするためのプリントユニットと、前記フロントパネルの背面に取り付けられプリントされた印字用紙を切断するための用紙切断ユニットと、前記枠体の内部に前後方向に移動可能に取り付けられると共に前記フロントパネルとリンクで結合され、前記印字用紙を上方から装填するように用紙ホルダ底板と用紙ホルダ側板とから構成された上方が開口したカップ状に形成され、前記フロントパネルを開く動作に連動して前記枠体の前面側に前記印字用紙を上方から装填する方向の姿勢を保ったまま移動する前記印字用紙を保持するための用紙ホルダユニットと、を備えていることを特徴とするプリンタ。
【００１１】
また、前記フロントパネルを完全に開くことにより前記印字用紙を前記用紙ホルダユニットに装填するように構成されているものである。
【００１２】
また、前記フロントパネルには前記プリントされた印字用紙を排出するための用紙排出口が設けられ、前記フロントパネルを開いて前記印字用紙の用紙端部を上方から前記プリントユニットに挿入するとこにより、該用紙端部が前記用紙切断ユニットを通して前記用紙排出口に出るように構成されていることを特徴とするものである。
【００１３】
また、前記用紙ホルダユニットには、複数の軸径の異なる用紙支持軸が取り付け可能であることを特徴とするものである。
【００１４】
前記用紙ホルダの側板に用紙支持軸ロック爪を形成し、該用紙支持軸ロック爪を変形させることにより用紙支持軸を着脱可能としたことを特徴とする。
【００１５】
また、ロール状の印字用紙にプリントして排出するプリンタにおいて、上方開口部を有する枠体と、前記枠体の前面に開閉可能に取り付けられ前記プリントされた印字用紙を排出するための用紙排出口を有するフロントパネルと、前記フロントパネルの背面に取り付けられ前記印字用紙にプリントするためのプリントユニットと、前記フロントパネルの背面に取り付けられ前記プリントされた印字用紙を切断するための用紙切断ユニットと、前記枠体の内部に前後方向に移動可能に取り付けられると共に前記フロントパネルとリンクで結合され、前記印字用紙を上方から装填するように用紙ホルダ底板と用紙ホルダ側板とから構成された上方が開口したカップ状に形成され、前記フロントパネルを開く動作に連動して前記枠体の前面側に前記印字用紙を上方から装填する方向の姿勢を保ったまま移動する前記印字用紙を保持するための用紙ホルダユニットと、前記プリントユニットおよび前記用紙切断ユニットを制御するための制御回路ユニットとから構成され、前記フロントパネルを途中まで開くことにより前記制御回路ユニットの調整用素子が前記上方開口部から操作可能となるように構成されていることを特徴とするものである。
【００１６】
また、前記調整用素子はＤＩＰスイッチであることを特徴とするものである。
【００１７】
また、前記枠体にベース板が固着され、該ベース板にスライド板が該ベース板に対して前後方向に移動可能に取り付けられ、さらに、前記スライド板に前記用紙ホルダユニットが前記スライド板に対して前後方向に移動可能に取り付けられ、前記ベース板には前記調整用素子に対向してベース板開口部が形成され、前記スライド板には、前記スライド板が前記ベース板に対して移動して所定の位置にくると、前記ベース板の前記ベース板開口部と対向するスライド板開口部が形成され、前記用紙ホルダユニットの底板には、前記用紙ホルダユニットが前記スライド板上を移動して所定の位置にくると前記調整用素子に対向することとなる用紙ホルダ底板開口部が形成されており、前記フロントパネルを途中まで開くことにより、前記ベース板開口部と、前記スライド板開口部と、前記用紙ホルダ底板開口部とが一致した位置に移動することになって、前記調整用素子を操作可能とするように構成されていることを特徴とするものである。
【発明の効果】
【００１８】
本発明は、ロール状の印字用紙にプリントして排出するプリンタにおいて、底面、側面、背面、および上面の一部を覆う枠体と、該枠体の前面に開閉可能に取り付けられ前記プリントされた印字用紙を排出するための用紙排出口を有するフロントパネルと、該フロントパネルの背面に取り付けられ前記印字用紙にプリントするためのプリントユニットおよび前記プリントされた印字用紙を切断するための用紙切断ユニットと、前記枠体の内部に前後方向に移動可能に取り付けられると共に前記フロントパネルとリンクで結合されている前記印字用紙を保持するための用紙ホルダユニットとにより構成され、前記フロントパネルを開くことにより、前記プリントユニット、前記用紙切断ユニット、および前記用紙ホルダユニットが前記枠体の前面から外部に出るように構成したことにより、印字用紙の装填および交換が容易に行うことができると共に、前記制御回路ユニットが外傷を受けるとか塵埃にさらされる等の外部からの悪影響を受けることのないプリンタを得ることができる。
【発明を実施するための最良の形態】
【００１９】
ロール状の印字用紙にプリントして排出するプリンタにおいて、底面、側面、背面、および上面の一部を覆う枠体と、該枠体の前面に開閉可能に取り付けられ前記プリントされた印字用紙を排出するための用紙排出口を有するフロントパネルと、該フロントパネルの背面に取り付けられ前記印字用紙にプリントするためのプリントユニットおよび前記プリントされた印字用紙を切断するための用紙切断ユニットと、前記枠体の内部に前後方向に移動可能に取り付けられると共に前記フロントパネルとリンクで結合されている前記印字用紙を保持するための用紙ホルダユニットとにより構成され、前記フロントパネルを開くことにより、前記プリントユニット、前記用紙切断ユニット、および前記用紙ホルダユニットが前記枠体の前面から外部に出るように構成し、前記用紙ホルダユニットが用紙ホルダ底板と用紙ホルダ側板を設け前記印字用紙を上方から装填できるように構成すると共に、前記枠体に前記用紙ホルダユニットに前記印字用紙を装填する為の上方開口部を設けたことにより、前記印字用紙を上方から装填を可能とすると共に、前記フロントパネルを完全に開くことにより前記印字用紙をプリンタの前面から前記用紙ホルダユニットに装填を可能とするプリンタ。
【実施例】
【００２０】
以下発明の実施の形態を実施例に基づいて図面を参照して説明する。
図１は、本発明に係る実施例におけるプリンタの外観を示す斜視図である。図２は、図１に示すプリンタの断面ＡＡの状態を示す主要断面図である。図３は、図２に示すプリンタのフロントパネルを開いた状態を示す動作説明図である。図４は、図３に示すプリンタの用紙ホルダユニット９に印字用紙１３を装填する状態を示す動作説明図である。図５は、図４に示すプリンタのフロントパネル３を閉じた状態を示す動作説明図である。図６は、図２に示す用紙ホルダユニットに印字用紙を装填する状態を示す動作説明図である。図７は、図５、および図６に示す状態から印字用紙を搬送し用紙端部が用紙排出口からでた状態を示す動作説明図である。図８は、フロントパネルを途中まで開いてＤＩＰスイッチを操作する状態を示す動作説明図である。図９は、用紙ホルダユニットの用紙ホルダ側板に第１用紙支持軸が取り付けられている状態を示す状態説明図である。
【００２１】
図１０は、図９における矢視Ｂに示す第１用紙支持軸が用紙ホルダ側板に取り付けられている状態を拡大して示す詳細図である。図１１は、図１０に示す第１用紙支持軸が用紙ホルダ側板に取り付けられている状態を背面から見た状態を示す詳細図である。図１２は、図１１に示す第１用紙支持軸を用紙ホルダ側板から取り外す状態を示す動作説明図であり、（ａ）は正面図、（ｂ）は（ａ）に示す断面ＣＣの状態を示す断面図である。図１３は、図１２において第１用紙支持軸を取り外した用紙ホルダ側板に第２用紙支持軸を取り付ける状態を示す動作説明図であり、（ａ）は正面図、（ｂ）は（ａ）に示す断面ＤＤの状態を示す断面図である。図１４は、第２用紙支持軸が用紙ホルダ側板に取り付けられている図１０と同様の状態を示す詳細図である。
【００２２】
図１、および図２を用いて、本発明に係る実施例のプリンタの構成について説明する。図１、および図２に示すように、枠体下１と枠体上２とにより、前面と上面の一部を除いて囲んだ筐体を形成し、枠体下１の内部には制御回路ユニット８が取り付けられており、制御回路ユニット８には外部から操作して動作モードを切り替えるための調整用素子であるＤＩＰスイッチ８ａが設けられている。枠体上２の内部には用紙ホルダユニット９が組み込まれ、枠体上２の前面は、フロントパネル回動軸１ａによって開閉自在に取り付けられているフロントパネル５で閉じられている。フロントパネル５の内側の面にはプリントユニット１０と用紙切断ユニット１１が取り付けられている。プリントユニット１０は、後述する未使用の印字用紙１３を挿入する側を斜め上方に向け、印字された印字用紙１３が出される側を斜め下方に向けて取り付けられ、用紙切断ユニット１１は、印字された印字用紙１３を挿入する側をプリントユニット１０の印字用紙１３が出される側に近接させ、排出する印字用紙１３が出される側を斜め下方に向けて取り付けられている。また、用紙切断ユニット１１の印字用紙が出される側には、用紙排出口７の用紙挿入側が近接して設けられ、プリントユニット１０と用紙切断ユニット１１を通過してきた印字用紙１３をフロントパネル５の外側に案内して排出するように設けられている。
【００２３】
枠体下１と枠体上２との間には、ベース板３が取り付けられベース板３のＤＩＰスイッチ８ａに対向する位置にベース板開口部３ａが形成されており、ベース板３の上面にはスライド板４が前後方向に移動可能に取り付けられている。スライド板４には、スライド板４が移動して特定の位置にあるときにＤＩＰスイッチ８ａに対向する位置にスライド板開口部４ａが形成されており、スライド板４の前端にはスライド板第１係合ピン４ｂが固着され、スライド板４の後端にはスライド板第２係合ピン４ｃが固着されている。スライド板４の上面には用紙ホルダユニット９が前後方向に移動可能に取り付けられている。用紙ホルダユニット９は下面、前面、後面の壁面を形成する用紙ホルダ底板９ａと両側面の壁面を形成する用紙ホルダ側板９ｂによってカップ状に形成されている。両側面の壁面を形成する用紙ホルダ側板９ｂには第１用紙支持軸９ｅがそれぞれ取り付けられている。用紙ホルダ底板９ａには、用紙ホルダユニット９が移動して特定の位置にあるときにＤＩＰスイッチ８ａに対向する位置に用紙ホルダ底板開口部９ｃが形成されている。用紙ホルダユニット９とフロントパネル５とはリンク１２によって連結され、フロントパネル５を開くことにより用紙ホルダユニット９が前方に移動し、フロントパネル５を閉じることにより用紙ホルダユニット９が後方に移動するように構成されている。
【００２４】
図３を用いて、図２に示すプリンタのフロントパネル５を開く動作について説明する。用紙ホルダユニット９に印字用紙１３を装填する場合にはフロントパネル５を開くように構成されているが、フロントパネル５を開くには、フロントパネル５の上端部を持って矢印ａの方向に回動させる。フロントパネル５を図３に示すθ２の角度まで開くと、フロントパネル５とリンク１２によって連結されている用紙ホルダユニット９は前方に移動して図３に示す位置まで移動する。
【００２５】
図４を用いて、図３に示すプリンタの用紙ホルダユニット９に印字用紙１３を装填する第１の方法の動作について説明する。フロントパネル５を完全に開くと用紙ホルダユニット９は枠体上２の前方の外側まで移動して来てオペレータに近づくので、印字用紙１３を矢印ｂのように容易に用紙ホルダユニット９への装填、即ち第１用紙支持軸９ｅに装着することができる。また、印字用紙１３の用紙端部１３ａを挿入するプリントユニット１０が更に手前に出てくるので、用紙端部１３ａを矢印ｃのように容易にプリントユニット１０に挿入することができる。
【００２６】
図５を用いて、図４に示すプリンタのフロントパネル５を閉じる動作について説明する。フロントパネル５の上端部を持って矢印ｄの方向に回動させると、フロントパネル５とリンク１２によって連結されている用紙ホルダユニット９は後方に移動して図５に示す位置まで移動する。
【００２７】
図６を用いて、図２に示すプリンタの用紙ホルダユニット９に印字用紙１３を装填する第２の方法の動作について説明する。フロントパネル５は閉じた状態のまままで、枠体上２に形成されている上方開口部６から印字用紙１３を矢印ｅのように用紙ホルダユニット９への装填、即ち第１用紙支持軸９ｅに装着し、用紙端部１３ａを矢印ｆのようにプリントユニット１０に挿入する。
【００２８】
図７を用いて、図５、および図６に示すプリンタの印字用紙１３の用紙端部１３ａを用紙排出口７から頭出しをする動作について説明する。図５、あるいは図６のようにして用紙端部１３ａをプリントユニット１０に挿入すると、プリントユニット１０に設けられた図示せぬセンサが用紙端部１３ａを検知して制御回路ユニット８に信号を送ると、この信号により制御回路ユニット８は図示せぬ用紙送り手段を駆動して印字用紙１３を送り、用紙端部１３ａが用紙排出口７から僅かに出る位置まで移動させる。
【００２９】
図８を用いて、制御回路ユニット８に設けられたＤＩＰスイッチ８ａを操作する状態について説明する。図２の状態からフロントパネル５を矢印ｇの方向にθ１の角度だけ開くと、フロントパネル５にリンク１２によって連結されている用紙ホルダユニット９は前方向に移動し、前端部がスライド板第１係合ピン４ｂに当接してスライド板４を移動させる。この移動によりスライド板４に形成されているスライド板開口部４ａと、用紙ホルダユニット９の用紙ホルダ底板９ａに形成されている用紙ホルダ底板開口部９ｃはＤＩＰスイッチ８ａに対向する位置に合致する。従って、ＤＩＰスイッチ８ａの操作面の前面には、ベース板開口部３ａ、スライド板開口部４ａ、および用紙ホルダ底板開口部９ｃが対向するので、例えば第１工具１４のような工具によりＤＩＰスイッチ８ａを操作することができる。このように、フロントパネル５が閉じていて用紙ホルダユニット９が図２に示す定常位置にあるとき、および図３に示すフロントパネル５が開いて用紙ホルダユニット９が前方に出た状態にあるときには、スライド板開口部４ａあるいは用紙ホルダ底板９ａがＤＩＰスイッチ８ａの対向面にあるベース板開口部３ａを覆っているので、ＤＩＰスイッチ８ａの部分に外部から異物がはいることはない。
【００３０】
図９、図１０、および図１１を用いて、用紙ホルダユニット９の用紙ホルダ側板９ｂに第１用紙支持軸９ｅが取り付けられている状態について説明する。図９に示す矢視Ｂを拡大して示す図１０、および図１０を背面から見た状態を示す図１１において、第１用紙支持軸９ｅは用紙ホルダ側板９ｂに形成されている用紙支持軸ロック爪９ｄによって係止されている状態を示している。
【００３１】
図１２を用いて、用紙ホルダ側板９ｂに取り付けられている第１用紙支持軸９ｅを取り外す状態について説明する。装填する印字用紙１３のボビン内径が直径Ｄ１の場合には上述のように第１用紙支持軸９ｅを用いるが、装填する印字用紙１３のボビン内径が直径Ｄ１ではない場合には第１用紙支持軸９ｅを取り外して、印字用紙１３のボビン内径に合った他の支持軸を取り付けることができる。第１用紙支持軸９ｅを取り外す場合には、例えば第２工具１５によって用紙支持軸ロック爪９ｄを４矢印ｈの方向に変形させて、第１用紙支持軸９ｅを用紙ホルダ側板９ｂから矢印ｊの方向に外す。
【００３２】
図１３を用いて、用紙ホルダ側板９ｂに第２用紙支持軸９ｆを取り付ける状態について説明する。前述した第１用紙支持軸９ｅを取り外す場合と同様にして、第２工具１５によって用紙支持軸ロック爪９ｄを４矢印ｈの方向に変形させて、第２用紙支持軸９ｆを矢印ｋの方向から用紙ホルダ側板９ｂに取り付ける。
【図面の簡単な説明】
【００３３】
【図１】本発明に係る実施例におけるプリンタの外観を示す斜視図である。
【図２】図１に示すプリンタの断面ＡＡの状態を示す主要断面図である。
【図３】図２に示すプリンタのフロントパネルを開いた状態を示す動作説明図である。
【図４】図３に示すプリンタの用紙ホルダユニット９に印字用紙１３を装填する状態を示す動作説明図である。
【図５】図４に示すプリンタのフロントパネル３を閉じた状態を示す動作説明図である。
【図６】図２に示す用紙ホルダユニットに印字用紙を装填する状態を示す動作説明図である。
【図７】図５、および図６に示す状態から印字用紙を搬送し用紙端部が用紙排出口からでた状態を示す動作説明図である。
【図８】フロントパネルを途中まで開いてＤＩＰスイッチを操作する状態を示す動作説明図である。
【図９】用紙ホルダユニットの用紙ホルダ側板に第１用紙支持軸が取り付けられている状態を示す状態説明図である。
【図１０】図９における矢視Ｂに示す第１用紙支持軸が用紙ホルダ側板に取り付けられている状態を拡大して示す詳細図である。
【図１１】図１０に示す第１用紙支持軸が用紙ホルダ側板に取り付けられている状態を背面から見た状態を示す詳細図である。
【図１２】図１１に示す第１用紙支持軸を用紙ホルダ側板から取り外す状態を示す動作説明図であり、（ａ）は正面図、（ｂ）は（ａ）に示す断面ＣＣの状態を示す断面図である。
【図１３】図１２において第１用紙支持軸を取り外した用紙ホルダ側板に第２用紙支持軸を取り付ける状態を示す動作説明図であり、（ａ）は正面図、（ｂ）は（ａ）に示す断面ＤＤの状態を示す断面図である。
【図１４】第２用紙支持軸が用紙ホルダ側板に取り付けられている図１０と同様の状態を示す詳細図である。
【図１５】従来におけるプリンタの定常状態を示す斜視図である。
【図１６】図１５に示すプリンタの印字用紙を交換する時の状態を示す斜視図である。
【符号の説明】
【００３４】
１  枠体下
１ａ  フロントパネル回動軸
２  枠体上
３  ベース板
３ａ  ベース板開口部
４  スライド板
４ａ  スライド板開口部
４ｂ  スライド板第１係合ピン
４ｃ  スライド板第２係合ピン
５  フロントパネル
６  上方開口部
７  用紙排出口
８  制御回路ユニット
８ａ  ＤＩＰスイッチ
９  用紙ホルダユニット
９ａ  用紙ホルダ底板
９ｂ  用紙ホルダ側板
９ｃ  用紙ホルダ底板開口部
９ｄ  用紙支持軸ロック爪
９ｅ  第１用紙支持軸
９ｆ  第２用紙支持軸
１０  プリントユニット
１１  用紙切断ユニット
１２  リンク
１３  印字用紙
１３ａ  用紙端部
１４  第１工具
１５  第２工具
【図１】
0004587474.tif 000002
【図２】
0004587474.tif 000003
【図３】
0004587474.tif 000004
【図４】
0004587474.tif 000005
【図５】
0004587474.tif 000006
【図６】
0004587474.tif 000007
【図７】
0004587474.tif 000008
【図８】
0004587474.tif 000009
【図９】
0004587474.tif 000010
【図１０】
0004587474.tif 000011
【図１１】
0004587474.tif 000012
【図１２】
0004587474.tif 000013
【図１３】
0004587474.tif 000014
【図１４】
0004587474.tif 000015
【図１５】
0004587474.tif 000016
【図１６】
0004587474.tif 000017